(57)【要約】  厚みのあるかき揚げを容易に且つ生産性よく製造することができるかき揚げ用器具を提供する。  かき揚げ収容部２は、複数の貫通孔７が配列形成された円筒状の型枠５と、型枠５の下端開口部に固定され且つ大径の複数の第１の貫通孔８と小径の複数の第２の貫通孔９が交互に配列形成された円板形状の底板６とを有している。底板６は、型枠５の内径より小さな径を有し、型枠５の下端内周面と底板６の周縁部との間に所定の幅の隙間１１が形成されている。油槽中に配置されたかき揚げ収容部２内にかき揚げ用生地を投入し、加熱してかき揚げ用生地１２の表面が固まるまで揚がった後、かき揚げ収容部２を油槽中で下降させることにより、かき揚げ用生地はかき揚げ収容部２から上方へ抜け、油槽中に浮遊する。
2012099045.tif 000002
【特許請求の範囲】
【請求項１】
軸方向の両端部が開口すると共に複数の貫通孔が形成された筒状型枠と、前記筒状型枠の一端開口部に固定されると共に複数の貫通孔が形成された底板とを有するかき揚げ収容部を備え、
前記筒状型枠の一端部と前記底板の周縁部との間に所定の隙間が形成されるように前記底板は前記筒状型枠の一端開口部に固定されていることを特徴とするかき揚げ用器具。
【請求項２】
前記底板の複数の貫通孔は、貫通孔がないものと仮定した場合の前記底板の全面積に対して７０〜９５％の開口率を有する請求項１に記載のかき揚げ用器具。
【請求項３】
前記底板の複数の貫通孔は、互いに径の異なる複数種類の貫通孔を含む請求項１または２に記載のかき揚げ用器具。
【請求項４】
前記底板の複数の貫通孔は、径７〜１５ｍｍの複数の第１の貫通孔と、径１〜５ｍｍの複数の第２の貫通孔とを含む請求項３に記載のかき揚げ用器具。
【請求項５】
前記筒状型枠は、内径５〜１５ｃｍ、高さ２〜１０ｃｍの大きさを有する請求項１〜４のいずれか一項に記載のかき揚げ用器具。
【請求項６】
複数の前記かき揚げ収容部と、
複数の前記かき揚げ収容部を各底板が同一面となるように連結する連結具と、
前記連結具により互いに連結された複数の前記かき揚げ収容部を把持するための取っ手部と
をさらに備えた請求項１〜５のいずれか一項に記載のかき揚げ用器具。
【請求項７】
請求項１〜６のいずれか一項に記載のかき揚げ用器具のかき揚げ収容部を加熱した油槽中に配置し、
前記かき揚げ収容部内にかき揚げ用生地を投入し、
前記かき揚げ収容部内でかき揚げ用生地を油ちょうし、
前記かき揚げ収容部を油槽中で下降させることにより揚がったかき揚げ用生地を前記かき揚げ収容部から上方へ抜いて油槽中に浮かせる
ことを特徴とするかき揚げの製造方法。
【発明の詳細な説明】
【技術分野】
【０００１】
この発明は、かき揚げ用器具およびこれを用いたかき揚げの製造方法に係り、特に、厚みのあるかき揚げを製造するのに適したかき揚げ用器具に関する。ここで、「かき揚げ」は、具材をそのまま、または、細かく切った具材を衣でまとめて油で揚げた、てんぷらの一種を意味するものとする。
【背景技術】
【０００２】
従来から、均一な形状のかき揚げを製造するために、筒状の型枠の使用が提案されている。例えば、特許文献１には、複数の貫通孔が形成された筒状の型枠を油槽中に設置し、かき揚げ用生地を型枠内に流し込み、この型枠内でかき揚げ用生地を加熱しながら形を整えてかき揚げを製造する方法が開示されている。
ところが、特許文献１に開示された筒状の型枠では、油槽中でかき揚げの成形作業が必要となり、この成形作業の際にかき揚げの形を損傷させてしまうことがある。【０００３】
そこで、例えば、特許文献２および３には、形の整ったかき揚げの製造を目的として底板付きの型枠が開示されている。
特許文献２に開示された器具は、それぞれ複数の貫通孔が形成された底板と筒状の型枠とを有し、型枠が底板に対して上方に回動可能に取り付けられている。底板により底部が覆われた状態の筒状の型枠内にかき揚げ用生地を流し込んで加熱した後、型枠を底板に対して上方に回動させることで、かき揚げ用生地が底板から離れると共に型枠から下方へ抜け落ち油槽中に放出される。【０００４】
一方、特許文献３に開示された器具は、複数の貫通孔が形成された筒状の型枠と貫通孔を有しない平板状の底板とを備え、型枠が底板に対して上方にスライド可能に取り付けられている。底板により底部が覆われた型枠内にかき揚げ用生地を流し込んで加熱した後、型枠を底板に対して上方にスライドさせて底板から分離することで、筒状の型枠をかき揚げ用生地から上方へ抜くように構成されている。
【先行技術文献】
【特許文献】
【０００５】
【特許文献１】特開２００３−２４２１７号公報
【特許文献２】特開２００８−２０６７００号公報
【特許文献３】実用新案登録３１５５３１６号公報
【発明の概要】
【発明が解決しようとする課題】
【０００６】
特許文献２および３に開示された器具のように底板付きの型枠を用いれば、形の整ったかき揚げを製造することができる。
しかしながら、かき揚げ用生地が底板に付着しやすく、筒状の型枠を底板に対して上方に回動あるいはスライドさせたときに底板にかき揚げ用生地の一部が残さとして残ることがある。このようにして底板に残さが残ると、次のかき揚げ製造時に投入された新たなかき揚げ用生地が残さに結着し、さらにかき揚げ用生地が剥がれにくくなったり、製造されたかき揚げの外観が悪くなり、商品価値が低下してしまう。このため、連続製造が困難になるおそれがある。【０００７】
また、厚みのあるかき揚げを製造しようとすると、筒状の型枠の高さを高くする必要があり、このような型枠を底板に対して上方に回動あるいはスライドさせるだけでは、かき揚げ用生地が型枠から下方へ抜けない、あるいは抜けにくくなり、製造が困難になるという問題がある。【０００８】
この発明は、このような従来の問題点を解消するためになされたもので、厚みのあるかき揚げを容易に且つ生産性よく製造することができるかき揚げ用器具を提供することを目的とする。
また、この発明は、このようなかき揚げ用器具を使用してかき揚げを製造する方法を提供することも目的としている。
【課題を解決するための手段】
【０００９】
この発明に係るかき揚げ用器具は、軸方向の両端部が開口すると共に複数の貫通孔が形成された筒状型枠と、筒状型枠の一端開口部に固定されると共に複数の貫通孔が形成された底板とを有するかき揚げ収容部を備え、筒状型枠の一端部と底板の周縁部との間に所定の隙間が形成されるように底板は筒状型枠の一端開口部に固定されたものである。例えば、筒状型枠の一端開口部よりも小さく形成された底板を筒状型枠の一端開口部に固定することにより、型枠の下端内周面と底板の周縁部との間に型枠の軸方向を向いた隙間が形成される、あるいは、底板を型枠の下端面より所定量だけ下方に位置させて固定することにより、型枠の下端面と底板の周縁部上面との間に型枠の軸方向と直交する方向を向いた隙間が形成される。【００１０】
好ましくは、底板の複数の貫通孔は、貫通孔がないものと仮定した場合の底板の全面積に対して７０〜９５％の開口率を有している。
底板の複数の貫通孔は、互いに径の異なる複数種類の貫通孔を含むことができる。例えば、径７〜１５ｍｍの複数の第１の貫通孔と、径１〜５ｍｍの複数の第２の貫通孔とを含むように底板の複数の貫通孔が構成される。
筒状型枠は、内径５〜１５ｃｍ、高さ２〜１０ｃｍの大きさを有することが好ましく、内径７〜１２ｃｍ、高さ３〜８ｃｍの大きさを有することがより好ましい。
さらに、複数のかき揚げ収容部と、複数のかき揚げ収容部を各底板が同一面となるように連結する連結具と、連結具により互いに連結された複数のかき揚げ収容部を把持するための取っ手部とを備えることができる。【００１１】
この発明に係るかき揚げの製造方法は、上記のかき揚げ用器具のかき揚げ収容部を油ちょうに適する温度まで加熱した油槽中に配置し、かき揚げ収容部内にかき揚げ用生地を投入し、かき揚げ収容部内でかき揚げ用生地を油ちょうし、かき揚げ収容部を油槽中で下降させることにより揚がったかき揚げ用生地をかき揚げ収容部から上方へ抜いて油槽中に浮かせる方法である。浮かせたかき揚げ生地は、そのままあるいは反転させてさらに油ちょうして、かき揚げを製造する。
ここで用いる油漕は、通常、かき揚げや天ぷら等の揚げ物の製造に用いられるものであれば適宜使用することができる。
また、この製造方法で用いるかき揚げ用生地としては、通常、かき揚げの製造に用いられる生地原料や具材を用いることができる。具体的には、小麦粉、各種澱粉、卵白粉、糖類、膨張剤、増粘剤、乳化剤、油脂、食塩、調味料などを含む生地原料に加水して、例えば、海老、イカ、魚などの魚介類、玉葱、葱、牛蒡などの野菜類を適宜加えたものである。
油ちょうに用いる油としては、かき揚げや天ぷら等の揚げ物の製造に用いられるものであれば適宜使用することができる。例えば、菜種油、大豆油、ひまわり油、サフラワー油、綿実油、オリーブ油、カカオ脂、パーム油、コーン油等の植物性油脂や、牛脂、豚脂等の動物油が挙げられ、これらは単独で又は２種以上を混合して用いることができる。
【発明の効果】
【００１２】
この発明によれば、複数の貫通孔が形成された底板が筒状型枠の一端開口部に固定されると共に底板が筒状型枠の一端開口部に固定されて筒状型枠の一端部と底板の周縁部との間に所定の隙間が形成されているので、かき揚げ収容部を油漕中において下降させるだけでかき揚げ収容部からかき揚げ用生地が上方へ抜けやすく、厚みのあるかき揚げを容易に且つ生産性よく製造することが可能となる。
【図面の簡単な説明】
【００１３】
【図１】この発明の実施の形態に係るかき揚げ用器具を示す正面図である。
【図２】実施の形態に係るかき揚げ用器具を示す底面図である。
【図３】実施の形態に係るかき揚げ用器具に用いられた１つのかき揚げ収容部を示す斜視図である。
【図４】実施の形態に係るかき揚げ用器具に用いられた１つのかき揚げ収容部を示す正面図である。
【図５】実施の形態に係るかき揚げ用器具に用いられた１つのかき揚げ収容部を示す底面図である。
【図６】かき揚げ製造時の状態を示し、（Ａ）はかき揚げ収容部内でかき揚げ用生地が油ちょうされる様子を示す正面図、（Ｂ）はかき揚げ収容部を油槽中に下降させて揚がったかき揚げ用生地が油槽中に浮いた様子を示す正面図である。
【図７】かき揚げ収容部を油槽中に下降させる際の油の流れを示す斜視図である。
【図８】かき揚げ収容部を油槽中に下降させる際の油の流れを示す部分断面図である。
【図９】変形例に係るかき揚げ用器具のかき揚げ収容部を油槽中に下降させる際の油の流れを示す部分断面図である。
【発明を実施するための形態】
【００１４】
以下、図面に示す好適な実施の形態に基づいて、この発明を詳細に説明する。
図１および図２に、この発明の実施の形態に係るかき揚げ用器具１の構成を示す。かき揚げ用器具１は、互いに同一の構造を有する３つのかき揚げ収容部２を備えており、これら３つのかき揚げ収容部２が直線状に配列され、一対の連結具３により連結されて一体となっている。３つのかき揚げ収容部２のうち、配列の両端に位置するかき揚げ収容部２には、それぞれ取っ手部４が取り付けられている。
【００１５】
図３に示されるように、各かき揚げ収容部２は、鉛直方向の中心軸を有し且つ軸方向の両端部が開口された円筒状の型枠５と、型枠５の下端に固定された円板形状の底板６とを有しており、全体的に、上端が開放された、いわゆるカップ形状を有している。
図４に示されるように、円筒状の型枠５の全面にわたって所定の径の複数の貫通孔７が配列形成されている。
【００１６】
同様に、底板６には、図５に示されるように、その全面にわたって比較的大径の複数の第１の貫通孔８と比較的小径の複数の第２の貫通孔９が交互に配列形成されている。すなわち、互いに隣接する第１の貫通孔８の間にそれぞれ第２の貫通孔９が配置されている。また、底板６は、円筒状の型枠５の内径より小さな径を有し、４つの連結片１０を介して筒状の型枠５の下端開口部内に固定されており、これにより、型枠５の下端内周面と底板６の周縁部との間に所定の幅の円弧状の隙間１１が形成されている。
【００１７】
かき揚げ収容部２、連結具３および取っ手部４は、それぞれステンレス鋼から形成され、連結具３を３つのかき揚げ収容部２にそれぞれハンダ付け等により固着することで、３つのかき揚げ収容部２は、各底板６が互いに同一面となるように連結されている。取っ手部４も、ハンダ付け等により配列の両端に位置するかき揚げ収容部２にそれぞれ固着されている。ただし、取っ手部４の配置位置と個数は、使用する油槽または油ちょう装置の形状、かき揚げ収容部２の大きさに合わせて適宜選択することができ、かき揚げ収容部２以外の場所に固着されても差し支えない。
【００１８】
このようなかき揚げ用器具１を用いてかき揚げを製造する方法について説明する。
まず、取っ手部４を介してかき揚げ用器具１を把持し、図６（Ａ）に示されるように、かき揚げ収容部２を油槽中に配置する。この状態で、かき揚げ収容部２内にかき揚げ用生地１２を投入し、かき揚げ収容部２内でかき揚げ用生地１２を油ちょうする。このとき、かき揚げ収容部２は、その上端部が油面１３とほぼ一致するまで、油槽中に沈められ、かき揚げ用生地１２は、かき揚げ収容部２の深さ一杯に広がって固まることとなる。
かき揚げ用生地１２の表面が固まるまで揚がったら、図６（Ｂ）に示されるように、取っ手部４によりかき揚げ収容部２を油槽中で下降させる。これにより、かき揚げ用生地１２は、かき揚げ収容部２から上方へ抜け、油槽中に浮遊する。
その後、かき揚げ用生地１２がそのままの状態で、あるいは反転させてさらに油ちょうして、十分に揚がったところで、油槽から取り出し、かき揚げの製造を完了する。
【００１９】
ここで、各かき揚げ収容部２の底板６に複数の第１の貫通孔８と複数の第２の貫通孔９が配列形成されると共に型枠５の下端内周面と底板６の周縁部との間に円弧状の隙間１１が形成されているため、かき揚げ収容部２を油槽中で下降させる際には、図７および図８に示されるように、底板６の複数の第１の貫通孔８および複数の第２の貫通孔９と底板６の周縁部における隙間１１を介して相対的に油槽中の油がかき揚げ収容部２内に流入する。この油の流れにより、かき揚げ収容部２内のかき揚げ用生地１２は底板６の上面および円筒状の型枠５の内周面から良好に剥がれ、形状を損傷することなく、またかき揚げ収容部２内に残さを残すことなく、かき揚げ収容部２から抜け出ることができる。
従って、厚みのあるかき揚げであっても、容易に製造され、連続製造が可能となる。
【００２０】
例えば、各かき揚げ収容部２の型枠５は、内径５〜１５ｃｍ、高さ２〜１０ｃｍの大きさに形成される。これにより、近年、嗜好されているボリュームのあるかき揚げを製造することができる。型枠５の貫通孔７は、例えば１〜５ｍｍの径を有している。
【００２１】
また、底板６の第１の貫通孔８は、例えば７〜１５ｍｍの径を有し、第２の貫通孔９は、例えば１〜５ｍｍの径を有しているが、これら複数の第１の貫通孔８と複数の第２の貫通孔９の開口面積の総計は、貫通孔がないものと仮定した場合の底板６の全面積に対して７０〜９５％の開口率を有することが好ましい。
この開口率が高い程、油槽中でかき揚げ収容部２からのかき揚げ用生地１２の剥がれは良好となるが、開口率が９５％を超えるような形状、例えば金網のような形状を底板として採用すると、逆にかき揚げ用生地１２が付着しやすくなり、残さが残ってしまう。あるいは、かき揚げ用生地１２が網目を抜けて垂れ下がり、これが固まってかき揚げ用生地１２が剥がれにくくなったり、かき揚げの外観を悪くするおそれがある。このように、開口率が９５％越えると、製品の品質と作業性の双方の面で不都合が生じてしまう。
【００２２】
なお、底板６の各貫通孔の径が大き過ぎると、かき揚げ用の野菜等の具材が貫通孔を通してはみ出し、引っかかることがある。また、かき揚げ用生地１２が底板６を抜けて垂れ下がることで、かき揚げ用生地１２が剥がれにくくなり、かき揚げの外観が悪くなるおそれがある。
そこで、この実施の形態に係るかき揚げ用器具１では、７〜１５ｍｍの径の第１の貫通孔８と１〜５ｍｍの径の第２の貫通孔９を交互に配列することにより、７０〜９５％の開口率を実現しており、かき揚げ用生地１２が底板６から剥がれやすく、作業性の向上を図ることができる。
【００２３】
また、底板６を筒状の型枠５の下端開口部より小さく形成することで、型枠５の下端内周面と底板６の周縁部との間に隙間１１が形成されているため、かき揚げ収容部２の隅部にかき揚げ用生地１２が残りにくく、かき揚げ用生地１２が底板６から剥がれやすくなっている。
【００２４】
なお、この発明の実施の形態では、底板６の径を、円筒状の型枠５の内径より小さくして、型枠５の下端内周面と底板６の周縁部との間に型枠５の軸方向すなわち鉛直方向を向いた円弧状の隙間１１を形成するのが好ましいが、図９に示されるように、底板６の径を、円筒状の型枠５の外径とほぼ等しくすると共に底板６を型枠５の下端面より所定量だけ下方に位置させて固定することにより、型枠５の下端面と底板６の周縁部上面との間に型枠５の軸方向と直交する方向すなわち水平方向を向いた環状の隙間１４を形成してもよい。このようにしても、かき揚げ収容部２を油槽中で下降させると、底板６の複数の第１の貫通孔８および複数の第２の貫通孔９と底板６の周縁部における隙間１４を介して相対的に油槽中の油がかき揚げ収容部２内に流入し、かき揚げ収容部２内のかき揚げ用生地１２は底板６の上面および円筒状の型枠５の内周面から良好に剥がれ、形状を損傷することなく、残さを残すことなく、かき揚げ収容部２から抜け出ることができる。
また、各かき揚げ収容部２の型枠５が円筒形状を有し、底板６が円板形状を有していたが、これに限るものではなく、例えば角筒形状の型枠と、この型枠に対応した形状の底板を用いることもできる。
さらに、上記の実施の形態では、３つのかき揚げ収容部２が互いに連結されていたが、１つ、２つ、あるいは４つ以上のかき揚げ収容部２を有するかき揚げ用器具を構成することもできる。
【符号の説明】
【００２５】
１  かき揚げ用器具、２  かき揚げ収容部、３  連結具、４  取っ手部、５  型枠、６  底板、７  貫通孔、８  第１の貫通孔、９  第２の貫通孔、１０  連結片、１１，１４  隙間、１２  かき揚げ用生地、１３  油面。
【図１】
2012099045.tif 000003
【図２】
2012099045.tif 000004
【図３】
2012099045.tif 000005
【図４】
2012099045.tif 000006
【図５】
2012099045.tif 000007
【図６】
2012099045.tif 000008
【図７】
2012099045.tif 000009
【図８】
2012099045.tif 000010
【図９】
2012099045.tif 000011
【国際調査報告】
2012099045.tif 000012
2012099045.tif 000013
2012099045.tif 000014
2012099045.tif 000015